(57)【要約】【課題】  液密性（水密性）を確実に保証することができ、例えばリミットスイッチの外囲器等として適用するに好適な安価で実用性の高い防水ケースを提供する。【解決手段】  一面に開口部を備え、電気機器または電気部品の収納空間を形成した箱形のケース本体と、このケース本体の上記開口部が設けられた面に弾性シール部材を介して装着されて上記ケース本体を密閉するカバー体とを具備したものであって、特に前記ケース本体は、前記開口部が設けられた面の周縁にフランジ部を有し、また前記カバー体は、前記ケース本体の前記開口部が設けられた面を覆う板状の本体と、この本体の縁部に設けられて前記フランジ部に係合可能な複数の爪とを備え、これらの爪を前記フランジ部を挟み込んで折り曲げて前記ケース本体にかしめ装着した構造とする。【選択図】      図２
2007087879.tif 000002
【特許請求の範囲】
【請求項１】
一面に開口部を備え、電気機器または電気部品の収納空間を形成した箱形のケース本体と、このケース本体の上記開口部が設けられた面に弾性シール部材を介して装着されて上記ケース本体を密閉するカバー体とを具備し、
前記ケース本体は、前記開口部が設けられた面の周縁にフランジ部を有し、
前記カバー体は、前記ケース本体の前記開口部が設けられた面を覆う板状の本体と、この本体の縁部に設けられて前記フランジ部に係合可能な複数の爪とを備え、これらの爪を前記フランジ部を挟み込んで折り曲げて前記ケース本体にかしめ装着されることを特徴とする防水ケース。
【請求項２】
前記ケース本体は、ダイカスト製のブロック体からなり、前記開口部が設けられた面とその反対側の面との間を貫通するねじ止め用の貫通孔を備えたものである請求項１に記載の防水ケース。
【請求項３】
前記弾性シール部材は、前記ケース本体の前記開口部が設けられた面を覆う大きさの板状のゴムからなる請求項１に記載の防水ケース。
【請求項４】
前記ケース本体は、前記開口部が設けられた面とは異なる面に設けられた孔部に、その内部に収納した電気機器または電気部品に接続されたコネクタを液密にシールして装着したものである請求項１に記載の防水ケース。
【発明の詳細な説明】
【技術分野】
【０００１】
本発明は、リミットスイッチの外囲器等として用いるに好適な防水ケースに関する。
【背景技術】
【０００２】
回転型リミットスイッチは、例えば物体により押圧されて回動するレバーが予め設定した角度まで回動したとき、マイクロスイッチを付勢して電気信号を出力するように構成される。特に屋外等にて使用されるリミットスイッチは、レバーを弾性偏倚した状態で回動自在に支持するばね機構や、マイクロスイッチ等の電気部品を防水ケース（外囲器）に収納し、水濡れから保護するように構成される（例えば特許文献１を参照）。
【特許文献１】特開平８−２２７４３号公報
【発明の開示】
【発明が解決しようとする課題】
【０００３】
ところで従来のリミットスイッチにおいては、防水ケースのカバーをケース本体にねじ止めする等して開閉自在に設けており、カバーを開いて電気部品に対する結線作業等を行い得るようになっている。しかしその反面、カバーの閉じ忘れや、ケース本体にカバーを固定するねじの緩みに起因してその液密性（水密性）が損なわれ、浸水による故障の原因となっている。
【０００４】
また上記ケース本体は、一般にダイカスト製の堅牢なブロック体として実現される。そして前記カバーとしては、上記ブロック体の裏面側開放面を覆って（閉塞して）設けられる金属板が用いられることが多い。しかし上述したダイカスト製のケース本体（ブロック体）にカバーをねじ止めするには、予め上記ケース本体（ブロック体）にねじ溝を刻設しておくことが必要であり、ねじ溝の刻設作業が製造コスト増大の要因となっている。
【０００５】
本発明はこのような事情を考慮してなされたもので、その目的は、液密性（水密性）を確実に保証することができ、リミットスイッチの外囲器等として適用するに好適な安価で実用性の高い防水ケースを提供することにある。
【課題を解決するための手段】
【０００６】
上述した目的を達成するべく本発明に係る防水ケースは、一面に開口部を備え、電気機器または電気部品の収納空間を形成した箱形のケース本体と、このケース本体の上記開口部が設けられた面に弾性シール部材を介して装着されて上記ケース本体を密閉するカバー体とを具備したものであって、
特に前記ケース本体は、前記開口部が設けられた面の周縁にフランジ部を有し、また前記カバー体は、前記ケース本体の前記開口部が設けられた面を覆う板状の本体と、この本体の縁部に設けられて前記フランジ部に係合可能な複数の爪とを備え、これらの爪を前記フランジ部を挟み込んで折り曲げて前記ケース本体にかしめ装着されることを特徴としている。
【０００７】
好ましくは請求項２に記載するように前記ケース本体は、ダイカスト製の金属ブロック体からなり、前記開口部が設けられた面とその反対側の面との間を貫通するねじ止め用の貫通孔を備えたものとして実現される。また請求項３に記載するように前記弾性シール部材は、前記ケース本体の前記開口部が設けられた面を覆う大きさの板状のゴム（例えば耐候性に優れたクロロプレンゴム）からなる。また請求項４に記載するように、前記ケース本体は、前記開口部が設けられた面とは異なる面に設けられた孔部に、その内部に収納した電気機器または電気部品に接続されたコネクタ（例えばコンジットコネクタ）を液密にシールして装着したものとして実現される。
【発明の効果】
【０００８】
このような構成の防水ケースによれば、ケース本体に対してカバー体がかしめ装着されているので、不本意にカバー体が開けられることがなくなる。従ってケース本体の開口部が設けられた面に弾性シール部材を介してカバー体を設け、その間のシール性を予め確保しておけば防水ケースの液密性（水密性）を確実に保証することができる。また上記カバー体を裏面としてケース本体を所定の設置面にねじ止め固定して用いる場合、ねじ止めによるケース本体の押圧によって前記弾性シール部材が押し潰され、ケース本体のフランジ部を挟み込んで該ケース本体にかしめられたカバー体の爪が上記フランジ部から浮き上がったとしても、弾性シール部材がカバー体を介して設置面とケース本体との間に強く挟み込まれるので、その間のシール性が確実に保持される。従って、例えばこの防水ケースを外囲器として用いたリミットスイッチの使用形態に拘わることなく、その液密性（水密性）を確保することができるので、水濡れ等の不具合を確実に防止することができる。
【０００９】
また上記構成によれば、ケース本体にカバー体をかしめるだけなのでケース本体にねじ溝を刻設する必要がない。従ってケース本体としてダイカスト性のブロック体を用いる場合であってもその製造コストを安価に抑えることが可能となる等の実用上多大なる効果が奏せられる。またケース本体の開口部が設けられた面とは異なる面に設けられた孔部に、その内部に収納した電気機器または電気部品に接続されたコネクタ（例えばコンジットコネクタ）を液密にシールして装着しておけば、カバー体を開けることなくその電気的接続を容易に行い得るので、前述した如くカバー体をケース本体にかしめて開閉不能に装着しても、何等の不具合も生じない。
【発明を実施するための最良の形態】
【００１０】
以下、図面を参照して本発明の一実施形態に係る防水ケースについて、この防水ケースを外囲器として用いたリミットスイッチを例に説明する。
図１はリミットスイッチの概略構成を示す分解斜視図で、１は外囲器（防水ケース）の主体部をなすケース本体、２はこのケース本体１の開口部が設けられた下面に装着されるカバー体である。ケース本体１は、下面側を開口してその内部に電気部品等の収納空間を形成した、例えばアルミダイカスト製の箱形のブロック体からなる。カバー体２は、このケース本体１の下面側に開口された開口部を覆って、該ケース本体１の下面に弾性シール部材３を介して装着される、例えばステンレス鋼製の板状体からなる。尚、上記弾性シール部材３は、例えば耐候性に優れたクロロプレンゴムからなる。
【００１１】
ところでリミットスイッチは、例えばトーションばね（図示せず）により回動付勢されて中立位置に保持されているレバー１１が、その先端を検出対象物体により押圧される等して予め設定された角度まで回動したとき、マイクロスイッチ１２を付勢してその電気接点を導通させるように構成される。この実施形態においては上述したトーションばね組み込んで構成されたレバー復帰機構１３の主体部が前記ケース本体１の内部（収納空間）に組み込まれ、その回動軸１３ａをケース本体１の上面を貫通する軸孔１ａを挿通させて外部に突出させて設けられる。前述したレバー１１は、上記ケース本体１の上面に突出した前記回転軸１３ａにその基端部が装着されて回動変位可能に設けられる。
【００１２】
尚、レバー１１の先端部にはローラ１４が回転自在に装着されており、このローラ１４を介して検出対象物体がレバー１１に当接して該レバー１１を回動させる。またレバー１１の中立位置は、該レバー１１の前記回転軸１３ａへの取り付け角度を調節することによって任意に設定される。またケース本体１への回転軸１３ａの装着は、周知の液密シール型軸受機構を介して行われる。
【００１３】
一方、前記レバー復帰機構１３の回転軸１３ａには、例えば円盤の外周縁の一部を直線状に切り欠いたカム板１５が装着されている。前述したマイクロスイッチ１２は、進退可能に設けられた作動片（可動突起）をスライダ１６を介して前記カム板１５に対峙させて前記ケース本体１の内部（収納空間）に組み込まれる。そしてマイクロスイッチ１２は、前記レバー１１が回動したとき、これに伴って回動する前記カム板１５によりスライダ１６を介して上記作動片（可動突起）を押圧されることで付勢される。このマイクロスイッチ１２の付勢による電気接点の導通状態は、該マイクロスイッチ１２に結線された信号線を介して外部機器（図示せず）により検出される。ちなみにこの実施形態においては、前記ケース本体１の側壁面にコネクタ１７が装着されており、このコネクタ１７を介して上記マイクロスイッチ１２と外部機器とが電気的に接続されるようになっている。このコネクタ１７としては結線作業性に優れ、また耐候性に優れたナイロン製の、いわゆるコンジット型のものが用いられる。尚、このコネクタ１７の取付部も、水密にシールされることは言うまでもない。
【００１４】
さて上述したリミットスイッチの外囲器の主体部をなすケース本体１は、特に詳述しないが前述したレバー復帰機構１３を組み込む空間部と前記マイクロスイッチ１２を組み込む空間部とを区画して設け、これらの空間部を連通する位置に前述したスライダ１６を組み込むものとなっている。そしてケース本体１は、図１におけるＡ-Ａ線に沿う断面構造を図２に示すように、上記２つの空間部を区画する部位の互いに対向する周壁を肉厚部とし、これらの肉厚部に該ケース本体１の上下面を貫通する長溝状の取り付け孔（貫通孔）４を設けている。またケース本体１の下面側周縁には、その側方に突出するフランジ部５が複数箇所に亘って設けられている。これらのフランジ部５は、後述するように前記カバー体２のかしめ装着部として機能する。
【００１５】
これに対して前述した弾性シール部材３は、上記ケース本体１の下面形状よりも僅かに狭い形状のものからなり、ケース本体１の下面周縁に沿ってその内側に設けられた段差部に嵌め込まれるようになっている。特にこの弾性シール部材３は、上記段差部の深さよりも厚い肉厚シート状のものからなり、ケース本体１の下面から僅かに突出させて該下面に嵌め込まれる。
【００１６】
このような弾性シール部材３を介して前記ケース本体１の下面に装着される前記カバー体２は、前記ケース本体１の下面形状とほぼ同等な大きさのものからなり、特にその両側部には該ケース本体１の側部に位置付けられる位置決め用の立ち上がり辺２ａが設けられている。またこのカバー体２の周縁部には、前述したケース本体１のフランジ部５に対応して舌片状の複数の爪（かしめ片）６が設けられている。これらの各爪（かしめ片）６の長さは、前記フランジ部５の厚みよりも長く設定されている。
【００１７】
このような複数の爪（かしめ片）６を備えたカバー体２は、前述したように弾性シール部材３を介して前記ケース本体１の下面に位置合わせされ、上記爪６の先端部を前記フランジ部５の上面側に向けてそれぞれ折曲することで、図２に示すように前記フランジ部５の縁部をそれぞれ挟み込んで前記ケース本体１にかしめ装着される。即ち、この外囲器（防水ケース）においては、ケース本体１に対してカバー体２の爪６を折り曲げることにより、該カバー体２がケース本体１に取り外し不能にかしめ装着される。尚、カバー体２および弾性シール部材３には、ケース本体１に設けられた長溝状の取り付け孔（貫通孔）４に対応して、固定用の取付孔がそれぞれ設けられている。
【００１８】
かくしてこのような構造の防水ケースによれば、ケース本体１に対してカバー体２がかしめ装着されるので、従来構造のようにケース本体にカバー体をねじ止めするためのねじ溝を刻設する必要がない。換言すればケース本体１をダイカスト成形により簡易に製作すると共に、カバー体２をプレス加工等により簡易に製作し、これらをかしめ加工だけにより簡易に組み立てることができる。従ってリミットスイッチの外囲器として用いられる防水ケースを、安価で簡単な構造とすることができる。
【００１９】
また上述した如くカバー体２をケース本体１にかしめ装着した防水ケースにあっては、従来の防水ケースのように取り外し可能なねじがないので、不本意にカバー体２を開けてしまうような不具合を招来する虞がない。逆にカバー体２を開けるには、ケース本体１にカバー体２を固定している（かしめ装着している）爪６を意図的にこじ開けることが必要となる。従ってその液密性を確実に保証することができる。
【００２０】
更には前述した長溝状の取り付け孔（貫通孔）４を利用して上述した構造のリミットスイッチを、ひいては防水ケースをねじ２０を用いて所定の設置場所（例えば基台２１）に固定するような場合、図３に示すようにねじ２０による締め付けによってケース本体１が留次２０の頭部と基台２１との間に挟み込まれて、フランジ部５の縁部にかしめられた爪６との間に隙間Δが生じる虞がある。しかしこの場合であっても、逆に上記締め付けによってケース本体１と弾性シール部材３との間、更には弾性シール部材３とカバー体２との間のシール性がより強固に確保されることになるので、上述した爪６の浮き上がりがそのシール性に支障を及ぼすことがない。故に、ねじ２０を用いた防水ケースの基台２１への固定時においても、その液密性を確実に保証することができる。
【００２１】
尚、本発明は上述した実施形態に限定されるものではない。ここでは防水ケースをリミットスイッチの外囲器として用いる場合を例に説明したが、その他の機器の外囲器として用いる場合にも同様に適用可能である。またカバー体２における爪６の数やその長さはケース本体１の大きさ等に応じて定めれば良いものであり、要は本発明はその要旨を逸脱しない範囲で種々変形して実施することができる。
【図面の簡単な説明】
【００２２】
【図１】本発明の一実施形態に係る防水ケースを外囲器として用いたリミットスイッチの概略構造を示す分解斜視図。
【図２】図１に示すリミットスイッチにおける外囲器（防水ケース）の断面構造を示す図。
【図３】図１に示すリミットスイッチをねじを用いて基台に取り付けた状態を示す断面図。
【符号の説明】
【００２３】
１  ケース本体
２  カバー体
３  弾性シール部材
５  フランジ部
６  爪（かしめ片）
【図１】
2007087879.tif 000003
【図２】
2007087879.tif 000004
【図３】
2007087879.tif 000005